(57)【要約】  より効果的に色割れの発生を抑制することのできる、フィールドシーケンシャル方式を用いた画像表示装置を実現する。  画像表示装置には、目標画像に含まれる目標表示色を再現するための色成分比を発光色成分比候補として抽出する色成分比抽出部（４２）と、色成分比抽出部（４２）によって抽出された発光色成分比候補から各サブフレーム期間における発光色成分比（ＬＥＤユニットに含まれる複数色のＬＥＤが発光する際の色成分比）を選択する発光色成分比選択部（４４）とが設けられる。ここで、全てのサブフレーム期間で混色表示を可能とするために、各ＬＥＤは各サブフレーム期間に点灯状態または消灯状態の任意の発光状態を取り得るように制御される。
2012157553.tif 000002
【特許請求の範囲】
【請求項１】
マトリクス状に配置された複数個の画素形成部を含む表示部と、色毎に点灯状態／消灯状態の制御が可能な複数色の光源からなる光源組を含み前記表示部に光を照射するための光照射部とを有し、１フレーム期間を複数のサブフレーム期間に分割して点灯状態となる光源の色をサブフレーム期間毎に切り替えることによりカラー表示を行う画像表示装置であって、
１フレーム期間をかけて前記表示部に表示されるべき目標画像から、該目標画像に含まれる目標表示色を再現するための色成分比を発光色成分比候補として抽出する色成分比抽出部と、
前記色成分比抽出部によって抽出された発光色成分比候補から、各サブフレーム期間における前記光源組に含まれる複数色の光源が発光する際の色成分比を発光色成分比として選択する発光色成分比選択部と
を備え、
各光源は、各サブフレーム期間に点灯状態または消灯状態の任意の発光状態を取り得ることを特徴とする、画像表示装置。
【請求項２】
前記光照射部は、各光源組が前記複数個の画素形成部の一部に対応するように、複数個の光源組を含み、
前記色成分比抽出部は、光源組毎に、前記目標画像のうちの対応する部分の画像から前記発光色成分比候補を抽出し、
前記発光色成分比選択部は、光源組毎に、前記発光色成分比を選択することを特徴とする、請求項１に記載の画像表示装置。
【請求項３】
光源組毎に前記色成分比抽出部によって抽出された発光色成分比候補に対して優先順位を付ける発光色成分比候補順位付け部を更に備え、
任意の光源組を着目光源組としたとき、前記発光色成分比選択部は、前記着目光源組に対応する画素形成部に前記着目光源組に隣接する光源組から所定量以上の光が照射されない場合には、より上位の優先順位の発光色成分比候補ほど、より先行するサブフレーム期間における前記着目光源組の発光色成分比として選択されるように、各サブフレーム期間における前記複数個の光源組の発光色成分比を選択することを特徴とする、請求項２に記載の画像表示装置。
【請求項４】
目標表示色を再現するための各色の成分の大きさに基づく値である色強度と各画素形成部が対応する光源組からの照射光によって受ける影響の大きさを示す光源影響度とを乗ずることによって得られる値を画素形成部毎に要求強度として求める要求強度算出部を更に備え、
前記発光色成分比候補順位付け部は、より大きい要求強度を持つ画素形成部で再現されるべき色の色成分比に対応する発光色成分比候補ほど、より上位の優先順位とすることを特徴とする、請求項３に記載の画像表示装置。
【請求項５】
任意のサブフレーム期間を着目サブフレーム期間とし、かつ、隣接する２つの光源組に関し、先に前記着目サブフレーム期間における発光色成分比の選択が行われた光源組を第１光源組とし、他方の光源組を第２光源組としたとき、前記発光色成分比選択部は、前記着目サブフレーム期間に前記第２光源組に対応する画素形成部に前記第１光源組から所定量以上の光が照射される場合に、前記着目サブフレーム期間には前記第２光源組に含まれる複数色の光源を消灯状態にする旨の決定をすることを特徴とする、請求項２に記載の画像表示装置。
【請求項６】
各フレーム期間を構成する複数のサブフレーム期間のうちの少なくとも１つのサブフレーム期間には無彩色表示が行われるように、前記光源組に含まれる複数色の光源についての点灯状態／消灯状態および発光量が制御されることを特徴とする、請求項１に記載の画像表示装置。
【請求項７】
前記色成分比抽出部は、各目標表示色の成分を無彩色部分と彩色部分とに分離し、彩色部分に基づく色成分比を前記発光色成分比候補として抽出し、
前記発光色成分比選択部は、無彩色表示が行われるサブフレーム期間以外のサブフレーム期間についてのみ、前記色成分比抽出部によって抽出された発光色成分比候補から前記光源組の発光色成分比を選択することを特徴とする、請求項６に記載の画像表示装置。
【請求項８】
前記発光色成分比選択部によって選択された発光色成分比に基づいて、前記光源組に含まれる複数色の光源についての各サブフレーム期間における発光量を求める発光量算出部と、
前記発光量算出部によって求められた発光量と前記目標画像に含まれる目標表示色とに基づいて、各画素形成部についての各サブフレーム期間における光変調度を求める画素変調度演算部と
を更に備えることを特徴とする、請求項１に記載の画像表示装置。
【請求項９】
任意の画素形成部を着目画素形成部としたとき、前記画素変調度演算部は、前記着目画素形成部における目標表示色の色成分比と前記光源組の発光色成分比とが最も近くなるサブフレーム期間に前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする、請求項８に記載の画像表示装置。
【請求項１０】
任意の画素形成部を着目画素形成部としたとき、前記画素変調度演算部は、１つのサブフレーム期間における前記光源組からの照射光によって前記着目画素形成部で再現される色よりも複数のサブフレーム期間における前記光源組からの照射光を混ぜ合わせることによって前記着目画素形成部で再現される色の方が前記着目画素形成部における目標表示色に近くなる場合、その複数のサブフレーム期間を用いて前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする、請求項９に記載の画像表示装置。
【請求項１１】
各画素形成部は、画素電極と、前記複数個の画素形成部に共通的に設けられた電極であって前記画素電極と対向するように配置され所定電位が与えられる共通電極と、前記画素電極と前記共通電極とに挟持された液晶とを含み、
各サブフレーム期間において、前記画素変調度演算部によって求められた光変調度に基づく電位が各画素形成部に含まれる画素電極に与えられることによって前記液晶が駆動されることを特徴とする、請求項８に記載の画像表示装置。
【請求項１２】
マトリクス状に配置された複数個の画素形成部を含む表示部と、色毎に点灯状態／消灯状態の制御が可能な複数色の光源からなる光源組を含み前記表示部に光を照射するための光照射部とを有し、１フレーム期間を複数のサブフレーム期間に分割して点灯状態となる光源の色をサブフレーム期間毎に切り替えることによりカラー表示を行う画像表示装置における画像表示方法であって、
１フレーム期間をかけて前記表示部に表示されるべき目標画像から、該目標画像に含まれる目標表示色を再現するための色成分比を発光色成分比候補として抽出する色成分比抽出ステップと、
前記色成分比抽出ステップで抽出された発光色成分比候補から、各サブフレーム期間における前記光源組に含まれる複数色の光源が発光する際の色成分比を発光色成分比として選択する発光色成分比選択ステップと
を備え、
各光源は、各サブフレーム期間に点灯状態または消灯状態の任意の発光状態を取り得ることを特徴とする、画像表示方法。
【発明の詳細な説明】
【技術分野】
【０００１】
本発明は、画像表示装置および画像表示方法に関し、更に詳しくは、フィールドシーケンシャル方式を用いた画像表示装置において色割れの発生を抑制する技術に関する。
【背景技術】
【０００２】
カラー表示を行う液晶表示装置の多くは、１つの画素を３分割したサブ画素ごとに、赤色（Ｒ）、緑色（Ｇ）、および青色（Ｂ）の光を透過させるカラーフィルタを備えている。しかし、液晶パネルに照射されるバックライト光の約２／３がカラーフィルタで吸収されるために、カラーフィルタ方式の液晶表示装置は光利用効率が低いという問題を有する。そこで、カラーフィルタを用いずにカラー表示を行うフィールドシーケンシャル方式の液晶表示装置が注目されている。【０００３】
フィールドシーケンシャル方式では、１画面の表示期間（１フレーム期間）は３つのサブフレームに分割される。なお、サブフレームはサブフィールドとも呼ばれるが、以下の説明では、統一してサブフレームの語を用いる。第１のサブフレームでは、入力信号の赤色成分に基づいて赤色の画面が表示される。第２のサブフレームでは、入力信号の緑色成分に基づいて緑色の画面が表示される。第３のサブフレームでは、入力信号の青色成分に基づいて青色の画面が表示される。以上のようにして１色ずつ表示を行うことにより、液晶パネルにカラー画像が表示される。このようにフィールドシーケンシャル方式の液晶表示装置では、カラーフィルタが不要になるので、カラーフィルタ方式の液晶表示装置に比べて光利用効率が約３倍になる。【０００４】
しかしながら、フィールドシーケンシャルカラー方式には、色割れ（カラーブレーク）が発生するという問題がある。図３１は、色割れの発生原理を示す図である。図３１のＡ部において、縦軸は時間を表し、横軸は画面上の位置を表す。一般に、表示画面内を物体が移動したとき、観測者の視線は物体を追随して物体の移動方向に移動する。例えば図３１に示す例では、白色物体が表示画面内を左から右へ移動したとき、観測者の視線は斜め矢印方向に移動する。一方、Ｒ，Ｇ，およびＢの３個のサブフレーム画像を同じ瞬間の映像から抽出した場合、各サブフレーム画像における物体の位置は同じである。このため、図３１のＢ部に示すように、網膜に映る映像には色割れが発生する。【０００５】
そこで、非３原色の色の表示すなわち少なくとも２つの色による表示（以下、「混色表示」という。）を行うためのサブフレームを１フレーム期間内に設けることによって色割れを目立たなくすることが提案されている。例えば、米国特許出願公開第２０１０／０２４５３９６号明細書に開示された発明によれば、１フレーム期間内には、単色表示（赤色表示，緑色表示，青色表示）を行う３つのサブフレームと混色表示を行う１つのサブフレームとが含まれている。また、日本の特開２００９−１３４１５６号公報に開示された発明によれば、１フレーム期間内には、赤色，緑色，および青色の光源のうち少なくとも緑色の光源が発光するサブフレームと、赤色および青色の光源のうち少なくとも赤色の光源が発光するサブフレームと、青色の光源が発光するサブフレームとが含まれている。
【先行技術文献】
【特許文献】
【０００６】
【特許文献１】米国特許出願公開第２０１０／０２４５３９６号明細書
【特許文献２】日本の特開２００９−１３４１５６号公報
【発明の概要】
【発明が解決しようとする課題】
【０００７】
ところで、赤色，緑色，および青色の光源を用いた表示装置においては、目標画像によっては、赤色と緑色との混色表示（黄色表示），赤色と青色との混色表示（マゼンダ色表示），緑色と青色との混色表示（シアン色表示），および赤色と緑色と青色との混色表示（白色表示）が必要となる。ところが、米国特許出願公開第２０１０／０２４５３９６号明細書に記載された発明によると、混色表示が可能なサブフレームは、１フレーム期間中に１つ設けられているにすぎない。また、日本の特開２００９−１３４１５６号公報に記載された発明によると、混色表示が可能なサブフレームは、１フレーム期間中に多くても２つ設けられているにすぎない。従って、従来の表示装置によれば、目標画像を構成する色によっては、混色表示が可能なサブフレームだけで当該目標画像の表示に必要な全ての混色表示を行うことができない。このため、複数のサブフレームを用いて時分割で混色表示を行う必要があり（例えば、黄色表示を行うために、或るサブフレームで赤色表示を行い、別のサブフレームで緑色表示を行う必要がある。）、色割れが発生しやすい。【０００８】
そこで本発明は、従来よりも色割れの発生を抑制することのできる、フィールドシーケンシャル方式を用いた画像表示装置を提供することを目的とする。
【課題を解決するための手段】
【０００９】
本発明の第１の局面は、マトリクス状に配置された複数個の画素形成部を含む表示部と、色毎に点灯状態／消灯状態の制御が可能な複数色の光源からなる光源組を含み前記表示部に光を照射するための光照射部とを有し、１フレーム期間を複数のサブフレーム期間に分割して点灯状態となる光源の色をサブフレーム期間毎に切り替えることによりカラー表示を行う画像表示装置であって、
１フレーム期間をかけて前記表示部に表示されるべき目標画像から、該目標画像に含まれる目標表示色を再現するための色成分比を発光色成分比候補として抽出する色成分比抽出部と、
前記色成分比抽出部によって抽出された発光色成分比候補から、各サブフレーム期間における前記光源組に含まれる複数色の光源が発光する際の色成分比を発光色成分比として選択する発光色成分比選択部と
を備え、
各光源は、各サブフレーム期間に点灯状態または消灯状態の任意の発光状態を取り得ることを特徴とする。【００１０】
本発明の第２の局面は、本発明の第１の局面において、
前記光照射部は、各光源組が前記複数個の画素形成部の一部に対応するように、複数個の光源組を含み、
前記色成分比抽出部は、光源組毎に、前記目標画像のうちの対応する部分の画像から前記発光色成分比候補を抽出し、
前記発光色成分比選択部は、光源組毎に、前記発光色成分比を選択することを特徴とする。【００１１】
本発明の第３の局面は、本発明の第２の局面において、
光源組毎に前記色成分比抽出部によって抽出された発光色成分比候補に対して優先順位を付ける発光色成分比候補順位付け部を更に備え、
任意の光源組を着目光源組としたとき、前記発光色成分比選択部は、前記着目光源組に対応する画素形成部に前記着目光源組に隣接する光源組から所定量以上の光が照射されない場合には、より上位の優先順位の発光色成分比候補ほど、より先行するサブフレーム期間における前記着目光源組の発光色成分比として選択されるように、各サブフレーム期間における前記複数個の光源組の発光色成分比を選択することを特徴とする。【００１２】
本発明の第４の局面は、本発明の第３の局面において、
目標表示色を再現するための各色の成分の大きさに基づく値である色強度と各画素形成部が対応する光源組からの照射光によって受ける影響の大きさを示す光源影響度とを乗ずることによって得られる値を画素形成部毎に要求強度として求める要求強度算出部を更に備え、
前記発光色成分比候補順位付け部は、より大きい要求強度を持つ画素形成部で再現されるべき色の色成分比に対応する発光色成分比候補ほど、より上位の優先順位とすることを特徴とする。【００１３】
本発明の第５の局面は、本発明の第２の局面において、
任意のサブフレーム期間を着目サブフレーム期間とし、かつ、隣接する２つの光源組に関し、先に前記着目サブフレーム期間における発光色成分比の選択が行われた光源組を第１光源組とし、他方の光源組を第２光源組としたとき、前記発光色成分比選択部は、前記着目サブフレーム期間に前記第２光源組に対応する画素形成部に前記第１光源組から所定量以上の光が照射される場合に、前記着目サブフレーム期間には前記第２光源組に含まれる複数色の光源を消灯状態にする旨の決定をすることを特徴とする。【００１４】
本発明の第６の局面は、本発明の第１の局面において、
各フレーム期間を構成する複数のサブフレーム期間のうちの少なくとも１つのサブフレーム期間には無彩色表示が行われるように、前記光源組に含まれる複数色の光源についての点灯状態／消灯状態および発光量が制御されることを特徴とする。【００１５】
本発明の第７の局面は、本発明の第６の局面において、
前記色成分比抽出部は、各目標表示色の成分を無彩色部分と彩色部分とに分離し、彩色部分に基づく色成分比を前記発光色成分比候補として抽出し、
前記発光色成分比選択部は、無彩色表示が行われるサブフレーム期間以外のサブフレーム期間についてのみ、前記色成分比抽出部によって抽出された発光色成分比候補から前記光源組の発光色成分比を選択することを特徴とする。【００１６】
本発明の第８の局面は、本発明の第１の局面において、
前記発光色成分比選択部によって選択された発光色成分比に基づいて、前記光源組に含まれる複数色の光源についての各サブフレーム期間における発光量を求める発光量算出部と、
前記発光量算出部によって求められた発光量と前記目標画像に含まれる目標表示色とに基づいて、各画素形成部についての各サブフレーム期間における光変調度を求める画素変調度演算部と
を更に備えることを特徴とする。【００１７】
本発明の第９の局面は、本発明の第８の局面において、
任意の画素形成部を着目画素形成部としたとき、前記画素変調度演算部は、前記着目画素形成部における目標表示色の色成分比と前記光源組の発光色成分比とが最も近くなるサブフレーム期間に前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする。【００１８】
本発明の第１０の局面は、本発明の第９の局面において、
任意の画素形成部を着目画素形成部としたとき、前記画素変調度演算部は、１つのサブフレーム期間における前記光源組からの照射光によって前記着目画素形成部で再現される色よりも複数のサブフレーム期間における前記光源組からの照射光を混ぜ合わせることによって前記着目画素形成部で再現される色の方が前記着目画素形成部における目標表示色に近くなる場合、その複数のサブフレーム期間を用いて前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする。【００１９】
本発明の第１１の局面は、本発明の第８の局面において、
各画素形成部は、画素電極と、前記複数個の画素形成部に共通的に設けられた電極であって前記画素電極と対向するように配置され所定電位が与えられる共通電極と、前記画素電極と前記共通電極とに挟持された液晶とを含み、
各サブフレーム期間において、前記画素変調度演算部によって求められた光変調度に基づく電位が各画素形成部に含まれる画素電極に与えられることによって前記液晶が駆動されることを特徴とする。【００２０】
本発明の第１２の局面は、マトリクス状に配置された複数個の画素形成部を含む表示部と、色毎に点灯状態／消灯状態の制御が可能な複数色の光源からなる光源組を含み前記表示部に光を照射するための光照射部とを有し、１フレーム期間を複数のサブフレーム期間に分割して点灯状態となる光源の色をサブフレーム期間毎に切り替えることによりカラー表示を行う画像表示装置における画像表示方法であって、
１フレーム期間をかけて前記表示部に表示されるべき目標画像から、該目標画像に含まれる目標表示色を再現するための色成分比を発光色成分比候補として抽出する色成分比抽出ステップと、
前記色成分比抽出ステップで抽出された発光色成分比候補から、各サブフレーム期間における前記光源組に含まれる複数色の光源が発光する際の色成分比を発光色成分比として選択する発光色成分比選択ステップと
を備え、
各光源は、各サブフレーム期間に点灯状態または消灯状態の任意の発光状態を取り得ることを特徴とする。
【発明の効果】
【００２１】
本発明の第１の局面によれば、フィールドシーケンシャル方式を採用する画像表示装置において、光源組に含まれる各色の光源は、いずれのサブフレーム期間にも任意の発光状態を取り得る。従って、各サブフレーム期間において混色表示が行われ得る。すなわち、１フレーム期間は混色表示が可能な複数のサブフレーム期間によって構成されている。このため、目標画像を再現するために複数パターンの混色表示が必要な場合でも、それら複数パターンの混色表示を複数のサブフレーム期間を用いて行うことができる。これにより、複数パターンの混色表示を時分割による方式を用いることなく１フレーム期間内で行うことが可能となる。以上より、フィールドシーケンシャル方式を用いた画像表示装置において、従来よりも効果的に色割れの発生を抑制することが可能となる。【００２２】
本発明の第２の局面によれば、フィールドシーケンシャル方式を採用し、かつ、エリア毎に光源の輝度を制御する方式を採用する画像表示装置において、１フレーム期間は混色表示が可能な複数のサブフレーム期間によって構成されている。このため、各光源組に対応するエリアの目標画像を再現するために複数パターンの混色表示が必要な場合でも、光源組毎にそれら複数パターンの混色表示を複数のサブフレーム期間を用いて行うことができる。これにより、エリア毎に、複数パターンの混色表示を時分割による方式を用いることなく１フレーム期間内で行うことが可能となる。以上より、フィールドシーケンシャル方式を採用し、かつ、エリア毎に光源の輝度を制御する方式を採用する画像表示装置において、従来よりも効果的に色割れの発生を抑制することが可能となる。【００２３】
本発明の第３の局面によれば、各光源組についての各サブフレーム期間における発光色成分比を決定するための処理を複雑化させることなく、より効果的に色割れの発生を抑制することが可能となる。【００２４】
本発明の第４の局面によれば、各光源組についての各サブフレーム期間における発光色成分比を決定するための処理を複雑化させることなく、より効果的に色割れの発生を抑制することが可能となる。【００２５】
本発明の第５の局面によれば、各光源組についての各サブフレーム期間における発光色成分比を決定するための処理を複雑化させることなく、より効果的に色割れの発生を抑制することが可能となる。【００２６】
本発明の第６の局面によれば、１フレーム期間を構成する複数のサブフレーム期間のうちの少なくとも１つは無彩色表示を行うためのサブフレーム期間（無彩色サブフレーム）とされる。無彩色サブフレーム以外のサブフレーム期間（彩色サブフレーム）には、彩色表示が行われる。このため、目標表示色を再現する際に、色相角の調整と彩度の調整とを異なるサブフレーム期間で行うことが可能となる。これにより、目標表示色の再現に必要な光変調度の演算処理が容易となる。【００２７】
本発明の第７の局面によれば、本発明の第６の局面と同様、目標表示色の再現に必要な光変調度の演算処理が容易となる。【００２８】
本発明の第８の局面によれば、各画素形成部についての各サブフレーム期間における光変調度が好適に求められ、目標表示色に近い色を再現しつつ効果的に色割れの発生を抑制することが可能となる。【００２９】
本発明の第９の局面によれば、目標表示色の再現に必要な光変調度の演算処理を複雑化させることなく、目標表示色に近い色を再現しつつ効果的に色割れの発生を抑制することが可能となる。【００３０】
本発明の第１０の局面によれば、目標表示色の再現に必要な光変調度の演算処理を複雑化させることなく、より目標表示色に近い色を再現しつつ効果的に色割れの発生を抑制することが可能となる。【００３１】
本発明の第１１の局面によれば、目標表示色に近い色を再現しつつ効果的に色割れの発生を抑制することが可能な液晶表示装置が実現される。【００３２】
本発明の第１２の局面によれば、本発明の第１の局面と同様の効果を画像表示方法において奏することができる。
【図面の簡単な説明】
【００３３】
【図１】本発明の第１の実施形態に係る液晶表示装置の全体構成を示すブロック図である。
【図２】上記第１の実施形態において、バックライトユニットの構成を模式的に示した図である。
【図３】上記第１の実施形態において、表示部内の画素領域について説明するための図である。
【図４】上記第１の実施形態におけるフレーム期間の構成を示す図である。
【図５】混色成分について説明するための図である。
【図６】混色成分について説明するための図である。
【図７】混色成分について説明するための図である。
【図８】混色成分について説明するための図である。
【図９】上記第１の実施形態において、サブフレーム画像生成処理の手順を示すフローチャートである。
【図１０】上記第１の実施形態において、色成分比抽出処理の手順を示すフローチャートである。
【図１１】色成分比について説明するための図である。
【図１２】目標画像の一例を示す図である。
【図１３】図１２で符号６２で示すエリアの拡大図である。
【図１４】図１２で符号６３で示すエリアの拡大図である。
【図１５】上記第１の実施形態において、色成分比の例を示す図である。
【図１６】上記第１の実施形態において、発光色成分比候補として抽出される色成分比を示す図である。
【図１７】上記第１の実施形態において、要求強度の算出について説明するための図である。
【図１８】上記第１の実施形態において、発光色成分比選択処理の手順を示すフローチャートである。
【図１９】上記第１の実施形態において、発光色成分比選択処理でのＬＥＤユニットの選択順序について説明するための図である。
【図２０】上記第１の実施形態において、画素変調度演算処理の手順を示すフローチャートである。
【図２１】上記第１の実施形態の第１の変形例において、到達光の色と目標表示色との差について説明するための図である。
【図２２】本発明の第２の実施形態に係る液晶表示装置におけるフレーム期間の構成を示す図である。
【図２３】上記第２の実施形態において、彩色部分と無彩色部分への分離の一例を示す図である。
【図２４】上記第２の実施形態において、彩色部分と無彩色部分への分離の別の例を示す図である。
【図２５】無彩色部分のみからなる色の色成分比の一例を示す図である。
【図２６】上記第２の実施形態において、色成分比抽出処理の手順を示すフローチャートである。
【図２７】Ａ−Ｄは、上記第２の実施形態において、色成分比抽出処理について説明するための図である。
【図２８】上記第２の実施形態において、発光色成分比選択処理の手順を示すフローチャートである。
【図２９】上記第２の実施形態において、画素変調度演算処理の手順を示すフローチャートである。
【図３０】上記第２の実施形態における効果について説明するための図である。
【図３１】色割れの発生原理を示す図である。
【発明を実施するための形態】
【００３４】
以下、添付図面を参照しつつ、本発明の実施形態について説明する。
【００３５】
＜１．第１の実施形態＞
＜１．１  全体構成および動作概要＞
図１は、本発明の第１の実施形態に係る液晶表示装置の全体構成を示すブロック図である。この液晶表示装置は、表示部１００とバックライトユニット２００とパネル駆動回路３００とサブフレーム画像生成部４００とによって構成されている。サブフレーム画像生成部４００は、色成分比抽出部４２と発光色成分比選択部４４と画素変調度演算部４６とを有している。なお、本実施形態においては、バックライトユニット２００によって光照射部が実現されている。
【００３６】
表示部１００には、複数本のソースバスライン（映像信号線）ＳＬと複数本のゲートバスライン（走査信号線）ＧＬとが配設されている。ソースバスラインＳＬとゲートバスラインＧＬとの各交差点に対応して、画素を形成する画素形成部が設けられている。すなわち、表示部１００には、複数個の画素形成部が含まれている。上記複数個の画素形成部はマトリクス状に配置されて画素アレイを構成している。各画素形成部には、対応する交差点を通過するゲートバスラインＧＬにゲート端子が接続されると共に当該交差点を通過するソースバスラインＳＬにソース端子が接続されたスイッチング素子であるＴＦＴ１０と、そのＴＦＴ１０のドレイン端子に接続された画素電極１１と、上記複数個の画素形成部に共通的に設けられた共通電極１４および補助容量電極１５と、画素電極１１と共通電極１４とによって形成される液晶容量１２と、画素電極１１と補助容量電極１５とによって形成される補助容量１３とが含まれている。液晶容量１２と補助容量１３とによって画素容量が構成されている。なお、図１の表示部１００内には、１つの画素形成部に対応する構成要素のみを示している。
【００３７】
バックライトユニット２００は、表示部１００の背面側に設けられている。バックライトユニット２００には、赤色の光源，緑色の光源，および青色の光源をひと組とする複数の光源組が含まれている。図２は、本実施形態におけるバックライトユニット２００の構成を模式的に示した図である。本実施形態においては、光源としてＬＥＤ（発光ダイオード）が採用されており、光源組としてのＬＥＤユニット２０に、赤色ＬＥＤ２１，緑色ＬＥＤ２２，および青色ＬＥＤ２３が１個ずつ含まれている。また、図２に示すように、バックライトユニット２００内において、ＬＥＤユニット２０は行方向および列方向に複数個ずつ設けられ全体として２次元状に配置されている。なお、バックライトユニット２００には、各ＬＥＤの状態（点灯状態／消灯状態）を制御するＬＥＤ制御回路（不図示）も含まれている。
【００３８】
ところで、本実施形態においては、表示部１００内の画素領域は、１つのエリアに複数個の画素が含まれるように（図３参照）、（物理的にではなく）論理的に複数個のエリアに分割される。また、１つのエリアには、１個のＬＥＤユニット２０が対応付けられている。例えば、図２で符号２０ａで示すＬＥＤユニットは、符号６０で示す太枠のエリアに対応付けられ、図２で符号２０ｂで示すＬＥＤユニットは、符号６１で示す太枠のエリアに対応付けられている。以上のことから、１つのエリアは、複数個の画素形成部に対応付けられている。各ＬＥＤユニット２０から出射された光は、対応するエリアの画素領域に照射される。従って、各ＬＥＤユニット２０は、複数個の画素形成部に赤色光，緑色光，および青色光を照射するための光源組として機能する。なお、以下においては、各ＬＥＤユニット２０に対応するエリアのことを「割当エリア」という。
【００３９】
本実施形態においては、１画面分の画像を表示するための期間である１フレーム期間は、図４に示すように４つのサブフレーム（第１〜第４サブフレーム）で構成される。各サブフレームにおいて、ＬＥＤユニット２０に含まれる各色のＬＥＤは任意の状態を取り得る。従って、いずれか１色のＬＥＤのみが点灯状態となることもあれば、複数色（２色または３色）のＬＥＤが点灯状態となることもある。また、全ての色のＬＥＤが消灯状態となることもある。なお、以下においては、ＬＥＤの状態に関し、点灯状態および消灯状態の双方を含めた状態のことを「発光状態」という。
【００４０】
ここで、図５を参照しつつ、混色成分について説明する。図５では、赤色（Ｒ），緑色（Ｇ），および青色（Ｂ）の単色成分の大きさを縦方向の長さで示している（図６なども同様）。例えば、目標画像中の１つの画素が、符号５０Ｒの矢印で示す大きさの赤色成分，符号５０Ｇの矢印で示す大きさの緑色成分，および符号５０Ｂの矢印で示す大きさの青色成分の３つの単色成分で構成されていると仮定する。このとき、「当該画素は、符号５１の矢印で示す大きさの白色成分，符号５２の矢印で示す大きさの黄色成分，および符号５３の矢印で示す大きさの赤色成分によって構成されている」と考えることもできる。なお、白色成分は、赤色成分と緑色成分と青色成分とからなる３色の混色成分であって、黄色成分は、赤色成分と緑色成分とからなる２色の混色成分である。このように、２以上の色の成分を組み合わせた成分のことを「混色成分」という。
【００４１】
上述したように、本実施形態においては、ＬＥＤユニット２０に含まれる各色のＬＥＤは、いずれのサブフレームにも任意の発光状態を取り得る。従って、１フレーム期間中の各サブフレームにおいて、複数色のＬＥＤを点灯状態とすることにより、上述のような混色成分の表示（混色表示）を行うことができる。例えば、或るサブフレームにおいて図６に示すように赤色ＬＥＤ２１と緑色ＬＥＤ２２とを点灯状態とすることによって、混色表示として黄色成分の表示を当該サブフレームに行うことができる。また、或るサブフレームにおいて図７に示すように赤色ＬＥＤ２１，緑色ＬＥＤ２２，および青色ＬＥＤ２３を点灯状態とすることによって、混色表示として白色成分の表示およびシアン色成分の表示を当該サブフレームに行うことができる。なお、任意のサブフレームにおいて、目標画像によっては、例えば図８に示すように１つの色のＬＥＤのみが点灯状態となり、単色成分の表示のみが行われることもある。
【００４２】
次に、図１に示す各構成要素の動作の概要を説明する。なお、以下においては、３つの色の成分の大きさの比（赤色成分の大きさと緑色成分の大きさと青色成分の大きさとの比）のことを「色成分比」という。また、ＬＥＤユニット２０に含まれる３色のＬＥＤによって表示され得る色成分比のことを特に「発光色成分比候補」という。さらに、ＬＥＤユニット２０に含まれる３色のＬＥＤが実際に発光する際の色成分比のことを特に「発光色成分比」という。
【００４３】
サブフレーム画像生成部４００内の色成分比抽出部４２は、目標画像に基づいて、ＬＥＤユニット２０毎に、目標画像を構成する色（目標表示色）を再現するために必要な色成分比を発光色成分比候補として抽出する。各ＬＥＤユニット２０に関して、色成分比抽出部４２によって抽出される発光色成分比候補の数は、１個の場合もあれば複数個の場合もある。なお、目標画像は、外部から送られる入力画像信号ＤＩＮに基づく１フレーム分の画像である。色成分比抽出部４２は、また、抽出した発光色成分比候補を示すデータを色成分比データＤｃｏｌとして出力する。
【００４４】
サブフレーム画像生成部４００内の発光色成分比選択部４４は、色成分比抽出部４２から出力された色成分比データＤｃｏｌを受け取り、ＬＥＤユニット２０毎に、各サブフレームにおける発光色成分比を色成分比データＤｃｏｌの示す発光色成分比候補の中から選択する。発光色成分比選択部４４は、また、選択した発光色成分比候補の色成分比に基づいて、各サブフレームにおける各色のＬＥＤの発光量を求める。さらに、発光色成分比選択部４４は、各ＬＥＤユニット２０に含まれる各色のＬＥＤの各サブフレームにおける発光量を示すデータを発光データＤＬとして出力する。なお、目標画像によっては、色成分比データＤｃｏｌの示す発光色成分比候補の中から発光色成分比の選択が行われずに「消灯状態にする」という決定が行われることもある。発光色成分比選択部４４は、また、各ＬＥＤが所望の発光状態（点灯状態／消灯状態）となるようバックライトユニット２００の動作を制御するための光源制御信号Ｓを出力する。なお、光源制御信号Ｓについては、各ＬＥＤの点灯状態／消灯状態（時間方向のオン／オフ）を指示する信号であっても良いし、各ＬＥＤの輝度を指示する信号であっても良いし、それらの組み合わせであっても良い。
【００４５】
サブフレーム画像生成部４００内の画素変調度演算部４６は、入力画像信号ＤＩＮと発光色成分比選択部４４から出力された発光データＤＬとに基づいて、各画素の色が目標表示色となるよう、各サブフレームでの各画素形成部における液晶の時間開口率を制御するための信号であるデジタル映像信号ＤＶを生成し、それを出力する。なお、時間開口率とは、光源点灯期間における液晶の透過率の時間的な積分値に相当するものであり、液晶の時間開口率と光源点灯期間の時間的な重ね合せによって、実際に表示される輝度が決まる。
【００４６】
パネル駆動回路３００は、ゲートバスラインＧＬを１本ずつ選択的に駆動するとともに、画素変調度演算部４６から出力されたデジタル映像信号ＤＶに基づき各ソースバスラインＳＬに駆動用の映像信号を印加する。共通電極１４には所定電位が与えられ（一定の電位が与えられ、または、一定の高電位と一定の低電位とが所定期間毎に交互に与えられ）、画素電極１１には駆動用の映像信号に基づく電位が与えられる。これにより、各画素形成部の画素容量に、所望の電荷が蓄積される。バックライトユニット２００は、発光色成分比選択部４４から出力された光源制御信号Ｓに基づいて、各ＬＥＤの発光状態を制御する。ＬＥＤの発光制御は電流の調整によって発光強度を制御しても良いし、発光期間の長さを調整することで発光強度を調整しても良いし、また両方の手法を組合せても良い。
【００４７】
以上のように各構成要素が動作することによって、サブフレーム毎に画面の表示状態が切り替えられ、入力画像信号ＤＩＮに基づく画像（目標画像）が１フレーム期間をかけて表示部１００に表示される。
【００４８】
＜１．２  サブフレーム画像生成処理＞
次に、サブフレーム画像生成部４００で行われる処理について、具体的には１フレーム分の目標画像に基づき各サブフレームの表示画像を生成する処理（サブフレーム画像生成処理）について説明する。図９は、サブフレーム画像生成処理の手順を示すフローチャートである。まず、色成分比抽出部４２による上述の処理（色成分比抽出処理）が行われる（ステップＳ１０）。次に、発光色成分比選択部４４による上述の処理（発光色成分比選択処理）が行われる（ステップＳ２０）。最後に、画素変調度演算部４６による上述の処理（画素変調度演算処理）が行われる（ステップＳ３０）。以下、色成分比抽出処理，発光色成分比選択処理，および画素変調度演算処理について詳しく説明する。なお、各処理に関して、以下に示す手順は一例であって、具体的な手順は特に限定されない。
【００４９】
＜１．２．１  色成分比抽出処理＞
図１０は、本実施形態における色成分比抽出処理の手順を示すフローチャートである。まず、バックライトユニット２００に含まれる複数個のＬＥＤユニット２０の中から、処理対象とするＬＥＤユニット２０が１つ選択される（ステップＳ１００）。なお、ステップＳ１００で選択されたＬＥＤユニット２０のことを以下「被選択ＬＥＤユニット」という。次に、被選択ＬＥＤユニットの割当エリアにおける目標画像に基づいて、当該目標画像を構成する色（目標表示色）の再現に必要な色成分比が発光色成分比候補として抽出される（ステップＳ１１０）。例えば、目標画像に４つの目標表示色が含まれていれば、４つの色成分比が発光色成分比候補として抽出される。
【００５０】
ここで、図１１〜図１６を参照しつつ、色成分比について説明する。仮に目標表示色として３つの色（第１〜第３の色）が目標画像に含まれているとき、当該３つの色のそれぞれについての色成分比は、例えば図１１に示すように表される。色成分比は、赤色成分，緑色成分，および青色成分のそれぞれの大きさの相対的な関係を表すものであって、各色成分の大きさ（成分値）を表すものではない。従って、例えば図１１に関し、必ずしも第２の色の赤色成分よりも第１の色の赤色成分の方が大きいわけではない。次に、図１２に示す画像について考える。なお、図１２で符号６２で示すエリアにおける目標画像には、図１３に示すように目標表示色として４つの色（それぞれの色の色成分比をα，β，γ，およびδとする。）が含まれているものと仮定する。また、図１２で符号６３で示すエリアにおける目標画像には、図１４に示すように目標表示色として３つの色（それぞれの色の成分比をβ，γ，およびδとする。）が含まれているものと仮定する。また、それら色成分比α，β，γ，およびδについて、赤色成分，緑色成分，および青色成分のそれぞれの大きさ（色成分値）をも考慮すると図１５のように示されるものと仮定する。このような場合、符号６２で示すエリアのＬＥＤユニット２０が被選択ＬＥＤユニットのときには、図１６でα，β，γ，およびδで示すような色成分比が発光色成分比候補として抽出される。また、符号６３で示すエリアのＬＥＤユニット２０が被選択ＬＥＤユニットのときには、図１６でβ，γ，およびδで示すような色成分比が発光色成分比候補として抽出される。
【００５１】
上述のステップＳ１１０の終了後、被選択ＬＥＤユニットの割当エリアに含まれる複数個の画素の中から、処理対象とする画素が１つ選択される（ステップＳ１２０）。なお、ステップＳ１２０で選択された画素のことを以下「被選択画素」という。次に、ＬＥＤユニット２０毎に後述するステップＳ１５０で発光色成分比候補の順位付けを行うために、被選択画素についての要求強度を算出する（ステップＳ１３０）。本実施形態においては、このステップＳ１３０によって要求強度算出部が実現されている。
【００５２】
ここで、要求強度について説明する。要求強度は、画素毎に算出されるものであって、各画素の目標表示色の再現に必要な発光色成分比に対応付けられる。要求強度Ｄ１は、色強度Ｄ２と光源影響度Ｄ３とを考慮して、次式（１）によって算出される。
Ｄ１＝Ｄ２×Ｄ３      ・・・（１）
本実施形態においては、被選択画素における赤色成分，緑色成分，および青色成分のそれぞれの成分値のうちの最大値が色強度Ｄ２とされる。従って、図１５に示す例の場合、色強度Ｄ２は「第１位：α、第２位：δ、第３位：β、第４位：γ」となる。また、光源影響度Ｄ３は、ＬＥＤから被選択画素までの距離やバックライトユニット２００の光学設計などに応じて決まる値である。なお、光学設計とは、バックライトユニット２００内におけるＬＥＤユニット２０の配置間隔に関する設計（例えば「周辺部分と比較して中央部分では密度を高くする」というような設計）などが挙げられる。
【００５３】
例えば、各エリアに２５個（Ｘ軸方向に５個，Ｙ軸方向に５個）の画素が含まれていて、各画素の目標表示色の再現に必要な発光色成分比が図１７に示すようなものになっていると仮定する。このとき、要求強度は２５個の画素のそれぞれについて求められる。また、例えば（Ｘ，Ｙ）＝（２，１）の画素の要求強度は発光色成分比候補αに対応付けられ、例えば（Ｘ，Ｙ）＝（３，４）の画素の要求強度は発光色成分比候補γに対応付けられる。このようにして、図１７に示す例の場合、４個の画素の要求強度が発光色成分比候補αに対応付けられ、１２個の画素の要求強度が発光色成分比候補βに対応付けられ、７個の画素の要求強度が発光色成分比候補γに対応付けられ、２個の画素の要求強度が発光色成分比候補δに対応付けられる。
【００５４】
なお、被選択画素における赤色成分，緑色成分，および青色成分のそれぞれの成分値の合計値を色強度Ｄ２としても良い。また、色毎の視感度特性を考慮して、赤色成分，緑色成分，および青色成分のそれぞれの成分値を加重平均することによって得られる値を色強度Ｄ２としても良い。このように、上式（１）で用いる色強度Ｄ２の具体的な値については、目標表示色を再現するための各色の成分の大きさ（成分値）に基づいて求められるものであれば特に限定されない。
【００５５】
上述したステップＳ１３０の終了後、被選択ＬＥＤユニットの割当エリアに含まれる全ての画素に関して要求強度の算出が終了したか否かが判定される（ステップＳ１４０）。判定の結果、終了していればステップＳ１５０に進み、終了していなければステップＳ１２０に戻る。
【００５６】
ステップＳ１５０では、被選択ＬＥＤユニットに関し、発光色成分比候補の順位付けが行われる。発光色成分比候補の順位付けの際、まず、発光色成分比候補毎に色成分比強度が求められる。本実施形態においては、各発光色成分比候補に対応付けられている要求強度のうちの最大値が、当該各発光色成分比候補についての色成分比強度とされる。図１７に示す例の場合、発光色成分比候補αに対応付けられている４個の画素の要求強度のうちの最大値が、発光色成分比候補αについての色成分比強度とされる。発光色成分比候補β，γ，およびδのそれぞれについての色成分比強度も同様にして求められる。このようにして各発光色成分比候補についての色成分比強度が求められた後、色成分比強度の高い順に各発光色成分比候補に対して順位（優先順位）が割り当てられる。例えば、被選択ＬＥＤユニットに関して「発光色成分比候補α，β，γ，およびδについての色成分比強度がそれぞれ１００，２００，１０，および１５０」となっているとき、「第１位：発光色成分比候補β，第２位：発光色成分比候補δ，第３位：発光色成分比候補α，第４位：発光色成分比候補γ」というように順位付けが行われる。本実施形態においては、このステップＳ１５０によって発光色成分比順位付け部が実現されている。
【００５７】
ステップＳ１５０の終了後、バックライトユニット２００に含まれる全てのＬＥＤユニット２０に関して発光色成分比候補の順位付けが終了したか否かが判定される（ステップＳ１６０）。判定の結果、終了していなければステップＳ１００に戻り、終了していれば色成分比抽出処理は終了する。
【００５８】
以上のようにして、色成分比抽出処理では、目標画像から、当該目標画像に含まれる目標表示色を再現するための色成分比が発光色成分比候補として抽出される。また、目標表示色を再現するための各色の成分の大きさに基づく値である色強度と各画素形成部が対応するＬＥＤユニット２０からの照射光によって受ける影響の大きさを示す光源影響度とを乗ずることによって、画素形成部毎に要求強度が求められる。そして、発光色成分比候補に対して順位付けが施される際、より大きい要求強度を持つ画素形成部で再現されるべき色の色成分比に対応する発光色成分比候補ほど、より上位の順位が付けられる。
【００５９】
＜１．２．２  発光色成分比選択処理＞
図１８は、本実施形態における発光色成分比選択処理の手順を示すフローチャートである。まず、色成分比抽出処理で求められた色成分比強度のうちの最大値に基づいて、１つのＬＥＤユニット２０についての第１サブフレームにおける発光色成分比が決定される（ステップＳ２００）。詳しくは、最大の色成分比強度に対応付けられているＬＥＤユニット２０が着目され（その着目されたＬＥＤユニット２０のことを以下「被着目ＬＥＤユニット」という。）、その最大の色成分比強度を持つ発光色成分比候補が第１サブフレームにおける被着目ＬＥＤユニットの発光色成分比とされる。なお、複数の色成分比強度が同じ値で最大値となる場合、それら複数の色成分比強度に対応付けられているＬＥＤユニット２０のうち表示部１００の中心に最も近い位置に配置されているＬＥＤユニット２０が被着目ＬＥＤユニットとされることが好ましい。その理由は、人は表示装置を見る際にまず表示部１００の中心に注目する傾向にあるからである。
【００６０】
ステップＳ２００の終了後、被着目ＬＥＤユニットの割当エリア内で最も大きな到達光量を必要とする画素形成部に現れるべき輝度を考慮して、被着目ＬＥＤユニットに含まれる各色のＬＥＤの発光量が決定される（ステップＳ２１０）。次に、バックライトユニット２００に含まれる複数個のＬＥＤユニット２０の中から、処理対象とするＬＥＤユニット２０が１つ選択される（ステップＳ２２０）。なお、ここでも、その選択されたＬＥＤユニット２０のことを「被選択ＬＥＤユニット」という。ステップＳ２２０では、発光色成分比の決定が既に行われたＬＥＤユニット２０に隣接するＬＥＤユニット２０が１つ選択される。例えば、図１９で符号６４で示すエリアに対応するＬＥＤユニット２０の発光色成分比が最初に決定された場合、図１９で各エリア内に示している数字の順序で、各エリアに対応するＬＥＤユニット２０が選択される。すなわち、発光色成分比の決定が最初に行われたエリアを中心として、当該中心のエリアからより外側のエリアへと順次に各エリアに対応するＬＥＤユニット２０の発光色成分比が決定される。
【００６１】
ステップＳ２２０の終了後、既に発光色成分比および発光量が決定しているＬＥＤユニット２０からの照射光により、被選択ＬＥＤユニットの割当エリアに規定値以上の光量が到達するか否かが判定される（ステップＳ２３０）。判定の結果、規定値以上の光量が到達するのであればステップＳ２４０に進み、規定値以上の光量が到達しないのであればステップＳ２５０に進む。
【００６２】
ステップＳ２４０では、処理済み（発光色成分比が決定済み）のＬＥＤユニット２０についての発光色成分比が、被選択ＬＥＤユニットについての発光色成分比候補の中に含まれているか否かが判定される。判定の結果、当該発光色成分比が含まれていればステップＳ２４２に進み、当該発光色成分比が含まれていなければステップＳ２４４に進む。
【００６３】
ステップＳ２４２では、ステップＳ２４０で含まれている旨の判定がなされた発光色成分比が、被選択ＬＥＤユニットについての発光色成分比とされる。その後、ステップＳ２４４で、被選択ＬＥＤユニットの割当エリア内で最も大きな到達光量を必要とする画素形成部に現れるべき輝度を考慮して、被選択ＬＥＤユニットに含まれる各色のＬＥＤの発光量が決定される。一方、ステップＳ２４６では、このサブフレームにおいては被選択ＬＥＤユニットは発光しない旨の決定がなされる。ステップＳ２４４またはステップＳ２４６の終了後、ステップＳ２６０に進む。なお、以上のようにして発光色成分比を決定する理由は、カラークロストークの発生を抑制するためである。
【００６４】
ステップＳ２５０では、所定条件に該当する発光色成分比候補が存在するか否かが判定される。判定の結果、そのような発光色成分比候補が存在すればステップＳ２５２に進み、そのような発光色成分比候補が存在しなければステップＳ２５４に進む。ここで、所定条件に該当する発光色成分比候補とは、以下の第１の条件および第２の条件の双方に該当する発光色成分比候補のことである。なお、各発光色成分比候補が下記条件に該当するか否かの判断は、色成分比抽出処理のステップＳ１５０（図１０参照）で行われた順位付けに基づいて、順位が上位の発光色成分比候補から行われる。
第１の条件：被選択ＬＥＤユニットについての発光色成分比候補のうち未だその色成分比で発光する旨の決定が行われていない発光色成分比候補であること。
第２の条件：要求される発光量の点灯状態となっても、隣接するＬＥＤユニット２０の割当エリアへの到達光量が規定値よりも小さくなる発光色成分比候補であること。
【００６５】
ステップＳ２５２では、ステップＳ２５０で条件に合致した発光色成分比候補が、被選択ＬＥＤユニットについての発光色成分比とされる。その後、ステップＳ２５４で、被選択ＬＥＤユニットの割当エリア内で最も大きな到達光量を必要とする画素形成部に現れるべき輝度を考慮して、被選択ＬＥＤユニットに含まれる各色のＬＥＤの発光量が決定される。一方、ステップＳ２５６では、このサブフレームにおいては被選択ＬＥＤユニットは発光しない旨の決定がなされる。ステップＳ２５４またはステップＳ２５６の終了後、ステップＳ２６０に進む。
【００６６】
ステップＳ２６０では、バックライトユニット２００に含まれる全てのＬＥＤユニット２０に関して、このサブフレームにおける発光色成分比の決定が終了したか否かが判定される。判定の結果、終了していなければステップＳ２２０に戻る。一方、終了していれば、第１サブフレームと同様にして、第２〜第４サブフレームにおける処理が順次に行われる。なお、第２サブフレーム以降においては、まず、全てのＬＥＤユニット２０についての発光色成分比候補のうち未だその色成分比で発光する旨の決定が行われていないものが抽出される。そして、その抽出された発光色成分比候補の色成分比強度のうちの最大の色成分比強度に対応付けられているＬＥＤユニット２０が被着目ＬＥＤユニットとされ、その最大の色成分比強度を持つ発光色成分比候補が、処理中のサブフレームにおける被着目ＬＥＤユニットの発光色成分比とされる。
【００６７】
ここで、図１２における符号６２で示すエリアと符号６３で示すエリアとの関係のみに着目し、本実施形態における発光色成分比の具体的な決定のされ方について説明する。なお、説明の便宜上、エリア６２に対応して設けられているＬＥＤユニット２０を「第１ユニット」といい、エリア６３に対応して設けられているＬＥＤユニット２０を「第２ユニット」という。また、色成分比強度については、「第１位：第１ユニットの発光色成分比候補α、第２位：第２ユニットの発光色成分比候補δ、第３位：第２ユニットの発光色成分比候補β、第４位：第１ユニットの発光色成分比候補β、第５位：第１ユニットの発光色成分比候補γ、第６位：第１ユニットの発光色成分比候補δ、第７位：第２ユニットの発光色成分比候補γ」となっているものと仮定する。また、いずれの発光色成分比候補に基づいてＬＥＤユニットが点灯状態となっても、一方のエリアのＬＥＤユニットからの照射光により他方のエリアには規定値以上の光量が到達するものと仮定する。以上のような条件下で発光色成分比選択処理が行われると、各サブフレームにおける第１ユニットおよび第２ユニットの発光色成分比は次のように決定される。
【００６８】
まず、色成分比強度の第１位が第１ユニットの発光色成分比候補αとなっているので、発光色成分比候補αが、第１サブフレームにおける第１ユニットの発光色成分比とされる。第１ユニットからの照射光によりエリア６３には既定値以上の光量が到達し、かつ、第２ユニットは発光色成分比候補αを有していない。従って、第１サブフレームにおいては第２ユニットは発光しない旨の決定がなされる。次に、この段階で残っている発光色成分比候補のうち最大の色成分比強度を持つのは、第２位の第２ユニットの発光色成分比候補δである。よって、発光色成分比候補δが、第２サブフレームにおける第２ユニットの発光色成分比とされる。第２ユニットからの照射光によりエリア６２には既定値以上の光量が到達し、かつ、第１ユニットは発光色成分比候補δを有している。従って、発光色成分比候補δが、第２サブフレームにおける第１ユニットの発光色成分比とされる。以下、同様にして、発光色成分比候補βが第３サブフレームにおける第１ユニットおよび第２ユニットの発光色成分比とされ、発光色成分比候補γが第４サブフレームにおける第１ユニットおよび第２ユニットの発光色成分比とされる。
【００６９】
以上のようにして、発光色成分比選択処理では、各ＬＥＤユニットについて、色成分比抽出処理で抽出された発光色成分比候補から各サブフレームにおける発光色成分比の選択が行われる。ここで、任意のＬＥＤユニット２０を着目ＬＥＤユニットとしたとき、着目ＬＥＤユニットに対応する画素形成部に着目ＬＥＤユニットに隣接するＬＥＤユニットから所定量以上の光が照射されない場合には、より上位の順位の発光色成分比候補ほど、より先行するサブフレーム期間における着目ＬＥＤユニットの発光色成分比として選択される。また、任意のサブフレームを着目サブフレームとし、かつ、隣接する２つのＬＥＤユニットに関し、先に着目サブフレームにおける発光色成分比の選択が行われたＬＥＤユニットを第１ＬＥＤユニットとし、他方のＬＥＤユニットを第２ＬＥＤユニットとしたとき、着目サブフレームに第２ＬＥＤユニットに対応する画素形成部に第１ＬＥＤユニットから所定量以上の光が照射される場合に、着目サブフレームには第２ＬＥＤユニットに含まれるＬＥＤを消灯状態にする旨の決定が行われる。
【００７０】
なお、本実施形態においては、発光色成分比選択処理中のステップＳ２１０，ステップＳ２４４，およびステップＳ２５４によって発光量算出部が実現されている。
【００７１】
＜１．２．３  画素変調度演算処理＞
図２０は、本実施形態における画素変調度演算処理の手順を示すフローチャートである。まず、表示部１００全体の中から、処理対象とする画素が１つ選択される（ステップＳ３００）。ここでも、ステップＳ３００で選択された画素のことを「被選択画素」という。次に、被選択画素に到達する光の色成分比のうち目標表示色に最も近い色成分比の光が到達するサブフレームの検出が行われる（ステップＳ３１０）。なお、このステップＳ３１０で検出されたサブフレームのことを「被検出サブフレーム」という。次に、被検出サブフレームにおける被選択画素についての光変調度が算出される（ステップＳ３２０）。なお、ここでの「光変調度」は光源からの照射光が外部に照射される度合いのことを意味し、液晶への印加電圧を制御することによって所望の光変調度が得られる。このステップＳ３２０では、被検出サブフレームに被選択画素に目標表示色が現れるように光変調度が決定される。次に、被検出サブフレーム以外のサブフレームにおける被選択画素についての光変調度が決定される（ステップＳ３３０）。このステップＳ３３０では、被検出サブフレーム以外のサブフレームには到達光が遮断されるように光変調度が決定される。次に、表示部１００内の全ての画素についての光変調度の算出が終了したか否かが判定される（ステップＳ３４０）。判定の結果、終了していなければステップＳ３００に戻り、終了していれば画素変調度演算処理は終了する。
【００７２】
以上のようにして、画素変調度演算処理では、任意の画素形成部を着目画素形成部としたとき、着目画素形成部における目標表示色の色成分比と着目画素形成部に対応するＬＥＤユニット２０の発光色成分比とが最も近くなるサブフレームに着目画素形成部で目標表示色が再現されるよう、かつ、それ以外のサブフレームには着目画素形成部でＬＥＤユニット２０からの光が遮断されるよう、着目画素形成部についての各サブフレームにおける光変調度が求められる。
【００７３】
＜１．３  効果＞
本実施形態によれば、フィールドシーケンシャル方式を採用する液晶表示装置において、ＬＥＤユニット２０に含まれる各色のＬＥＤは、いずれのサブフレームにも任意の発光状態を取り得る。従って、各サブフレームで混色表示が行われ得る。すなわち、１フレーム期間は混色表示が可能な４つのサブフレームによって構成されている。このため、或るＬＥＤユニット２０の割当エリアの目標画像を表示するために複数パターンの混色表示が必要な場合でも、それら複数パターンの混色表示を複数のサブフレームで１パターンずつ行うことができる。これにより、カラークロストークの発生を抑制しつつ、複数パターンの混色表示を時分割による方式を用いることなく１フレーム期間内で行うことが可能となる。従って、本実施形態によれば、色割れの発生が、より効果的に抑制される。以上のように、より効果的に色割れの発生を抑制することのできる、フィールドシーケンシャル方式を用いた液晶表示装置が実現される。
【００７４】
＜１．４  変形例＞
以下、上記第１の実施形態の変形例について説明する。
【００７５】
＜１．４．１  第１の変形例＞
上記第１の実施形態における画素変調度演算処理においては、被選択画素に到達する光の色成分比のうち目標表示色に最も近い色成分比の光が到達するサブフレームの検出が行われ、その検出されたサブフレームのみを用いて被選択画素に目標表示色が現れるように、各サブフレームにおける被選択画素についての光変調度が決定されていた。しかしながら、本発明はこれに限定されない。被選択画素に関し、複数のサブフレームにおける到達光を混ぜ合わせることによって目標表示色に近い色を再現することが可能な場合もある。そこで、そのような複数のサブフレームのそれぞれにおける被選択画素の光変調度を調整するようにしても良い。この場合、画素変調度演算処理（図２０参照）において、ステップＳ３１０では、被選択画素に目標表示色に最も近い色が現れるようなサブフレームの組み合わせ（１または複数のサブフレーム）が検出され、ステップＳ３２０では、ステップＳ３１０で検出された１または複数のサブフレームにおける被選択画素についての光変調度が算出される。このようにして、各画素形成部において、より目標表示色に近い色を表示することが可能となる。
【００７６】
なお、目標表示色に最も近い色成分比の光が到達するサブフレームにおける到達光の色と目標表示色との差が規定値よりも大きい場合のみ複数のサブフレームにおける到達光の混ぜ合わせによる色再現を可能とするようにしても良い。ここでの「到達光の色と目標表示色との差」としては、例えば、それぞれの色をＨＳＶ色空間で表したときの両者間の相対距離，それぞれの色をｘｙ色度座標を用いて表したときの両者間の相対距離，それぞれの色をｕ’ｖ’色度座標を用いて表したときの両者間の相対距離などを採用することができる。例えば、図２１に示すようにｘｙ色度図上で到達光の色の座標Ｐ１と目標表示色の座標Ｐ２とが表されるとき、Ｐ１−Ｐ２間の距離Ｌ１を既定値と比較すれば良い。
【００７７】
ところで、複数のサブフレームにおける到達光の混ぜ合わせによる色再現を可能とした場合、色割れが発生するおそれが高くなることが懸念される。そこで、複数のサブフレームにおける到達光の混ぜ合わせによって得られる色と目標表示色との差が規定値よりも小さい場合のみ複数のサブフレームにおける到達光の混ぜ合わせによる色再現を可能とするようにしても良い。これにより、目標表示色を時分割で表示することに起因する色割れの発生が抑制される。
【００７８】
＜１．４．２  第２の変形例＞
上記実施形態においては、各発光色成分比候補に対応付けられている要求強度のうちの最大値が当該各発光色成分比候補についての色成分比強度とされていたが、本発明はこれに限定されない。或る発光色成分比候補に対応付けられている要求強度として複数個の画素の要求強度が存在するとき、それら複数個の画素の要求強度の和を当該発光色成分比候補についての色成分比強度としても良い。図１７に示す例の場合、４つ画素（（Ｘ，Ｙ）＝（１，１）、（１，２）、（２，１）、（２，２））の要求強度の和を発光色成分比候補αについての色成分比強度としても良い。
【００７９】
＜１．４．３  第３の変形例＞
上記実施形態においては１フレーム期間は４つのサブフレームで構成されていたが、本発明はこれに限定されない。１フレーム期間が少なくとも２つのサブフレームで構成されていれば、本発明を適用することができる。例えば、１フレーム期間を５つのサブフレームで構成するようにしても良い。
【００８０】
＜２．第２の実施形態＞
＜２．１  概要＞
液晶表示装置の全体構成，バックライトユニット２００の構成，および表示部１００内の画素領域の構成については、上記第１の実施形態と同様であるので説明を省略する（図１〜図３を参照）。また、上記第１の実施形態と同様、１フレーム期間は複数のサブフレーム（本説明では４つのサブフレーム）で構成される。但し、後述するように、上記第１の実施形態とは異なり、複数のサブフレームのうちの１つ（本説明では第１サブフレーム）は無彩色表示を行うためのサブフレーム（以下、「無彩色サブフレーム」ともいう。）とされる。無彩色サブフレーム以外のサブフレームは、彩色表示を行うためのサブフレーム（以下、「彩色サブフレーム」ともいう。）とされる。すなわち、本実施形態においては、図２２に示すように、１フレーム期間は、無彩色サブフレームである第１サブフレームと彩色フレームである第２〜第４サブフレームとで構成される。
【００８１】
例えば、色成分比が図２３に示すようなＺ１である色に着目する。この色は、図２３に示すように、彩色部分と無彩色部分とに分離され得る。このとき、彩色部分については２つの色成分の組み合わせ（赤色成分と緑色成分の組み合わせ）となる。また、例えば、色成分比が図２４に示すようなＺ２である色に着目する。この色についても、図２４に示すように、彩色部分と無彩色部分とに分離され得る。このとき、彩色部分については１つの色成分（緑色成分）となる。このように、赤色（Ｒ）、緑色（Ｇ）、および青色（Ｂ）を用いて表される色についての彩色部分は、２つ以下の色で表される。なお、色成分比が図２５に示すようなＺ３である色については、無彩色部分のみとなる。以上のことから把握されるように、彩色サブフレームには、各ＬＥＤユニット２０に含まれる赤色ＬＥＤ２１，緑色ＬＥＤ２２，および青色ＬＥＤ２３のうち少なくとも１つの色のＬＥＤが消灯状態となる。
【００８２】
＜２．２  サブフレーム画像生成処理＞
次に、本実施形態におけるサブフレーム画像生成処理について説明する。サブフレーム画像生成処理の全体の流れ（図９参照）は、上記第１の実施形態と同様である。すなわち、色成分比抽出処理，発光色成分比選択処理，および画素変調度演算処理が順次に行われる。以下、各処理に関して、上記第１の実施形態とは異なる点を中心に説明する。
【００８３】
＜２．２．１  色成分比抽出処理＞
図２６は、本実施形態における色成分比抽出処理の手順を示すフローチャートである。本実施形態においては、ステップＳ１１０では、被選択ＬＥＤユニットの割当エリアにおける目標画像に基づいて、当該目標画像を構成する色（目標表示色）の再現に必要な色成分比が抽出される。その後、ステップＳ１１０で抽出された各色成分比について、彩色部分と無彩色部分への分離が行われる（ステップＳ１１２）。例えば、目標表示色の再現に必要な色成分比（ここでは各色の成分値も考慮している）として図２７Ａでα，β，γ，およびδで示すような４つの色成分比がステップＳ１１０で抽出されたとき、ステップＳ１１２で、各色成分比は、図２７Ｂに示すような無彩色部分と図２７Ｃに示すような彩色部分とに分離される。その後、彩色部分の色成分比に基づいて、発光色成分比候補が取得される（ステップＳ１１４）。彩色部分の色成分比が図２７Ｃに示すような場合、図２７Ｄでαｃ，βｃ，γｃ，およびδｃで示すような色成分比が発光色成分比候補として取得される。
【００８４】
ステップＳ１３０では、上記第１の実施形態と同様、上式（１）によって要求強度Ｄ１が算出される。但し、本実施形態においては、被選択画素における彩色部分についての赤色成分，緑色成分，および青色成分のそれぞれの成分値のうちの最大値が色強度Ｄ２とされる。なお、被選択画素における彩色部分についての赤色成分，緑色成分，および青色成分のそれぞれの成分値の合計値を色強度Ｄ２としても良い。また、色毎の視感度特性を考慮して、彩色部分についての赤色成分，緑色成分，および青色成分のそれぞれの成分値を加重平均することによって得られる値を色強度Ｄ２としても良い。
【００８５】
ステップＳ１５０では、上記第１の実施形態と同様、発光色成分比候補に対して順位付けが行われる。例えば、彩色部分の色成分比が図２７Ｃに示すような場合、第１位：発光色成分比候補αｃ，第２位：発光色成分比候補βｃ，第３位：発光色成分比候補γｃ，第４位：発光色成分比候補δｃ」というように順位付けが行われる。
【００８６】
＜２．２．２  発光色成分比選択処理＞
図２８は、本実施形態における発光色成分比選択処理の手順を示すフローチャートである。本実施形態においては、まず、全てのＬＥＤユニット２０に関し、第１サブフレームには無彩色部分を再現するための発光を行う旨の決定がなされる（ステップＳ２００）。その後、上記第１の実施形態におけるステップＳ２００と同様にして、１つのＬＥＤユニット２０についての第２サブフレームにおける発光色成分比が決定される（ステップＳ２０５）。その後、上記第１の実施形態と同様にして、バックライトユニット２００に含まれる全てのＬＥＤユニット２０に関して、第２サブフレームにおける発光色成分比が決定される（ステップＳ２１０〜ステップＳ２６０）。更に、その後、第２サブフレームと同様にして、第３〜第４サブフレームにおける処理が順次に行われる。
【００８７】
なお、本実施形態においては複数のサブフレームのうちの第１サブフレームが無彩色サブフレームとされているが、複数のサブフレームのうちのいずれのサブフレームが無彩色サブフレームとされても良い。
【００８８】
ここで、図１２における符号６２で示すエリアと符号６３で示すエリアとの関係のみに着目し、本実施形態における発光色成分比の具体的な決定のされ方について説明する。ここでも、エリア６２に対応して設けられているＬＥＤユニット２０を「第１ユニット」といい、エリア６３に対応して設けられているＬＥＤユニット２０を「第２ユニット」という。なお、色成分比α，β，γ，およびδのそれぞれの彩色部分に基づく発光色成分比候補をαｃ，βｃ，γｃ，およびδｃとする。また、色成分比強度については、「第１位：第１ユニットの発光色成分比候補αｃ、第２位：第２ユニットの発光色成分比候補βｃ、第３位：第２ユニットの発光色成分比候補γｃ、第４位：第１ユニットの発光色成分比候補γｃ、第５位：第１ユニットの発光色成分比候補δｃ、第６位：第１ユニットの発光色成分比候補βｃ、第７位：第２ユニットの発光色成分比候補δｃ」となっているものと仮定する。また、いずれの発光色成分比候補に基づいてＬＥＤユニットが点灯状態となっても、一方のエリアのＬＥＤユニットからの照射光により他方のエリアには規定値以上の光量が到達するものと仮定する。以上のような条件下で発光色成分比選択処理が行われると、各サブフレームにおける第１ユニットおよび第２ユニットの発光色成分比は次のように決定される。
【００８９】
まず、第１ユニットおよび第２ユニットの双方について、第１サブフレームは無彩色サブフレームとされる。なお、無彩色サブフレームでは、赤色ＬＥＤ２１，緑色ＬＥＤ２２，および青色ＬＥＤ２３が同じ発光強度で点灯状態となる。但し、それら３つのＬＥＤが必ずしも全く同じ発光強度にされる必要はなく、表示色の色温度が５０００Ｋから１３０００Ｋまでの範囲内となるように、各ＬＥＤユニット２０に含まれる赤色ＬＥＤ２１，緑色ＬＥＤ２２，および青色ＬＥＤ２３の発光強度が調整されれば良い。次に、色成分比強度の第１位が第１ユニットの発光色成分比候補αｃとなっているので、発光色成分比候補αｃが、第２サブフレームにおける第１ユニットの発光色成分比とされる。第１ユニットからの照射光によりエリア６３には既定値以上の光量が到達し、かつ、第２ユニットは発光色成分比候補αｃを有していない。従って、第２サブフレームにおいては第２ユニットは発光しない旨の決定がなされる。次に、この段階で残っている発光色成分比候補のうち最大の色成分比強度を持つのは、第２位の第２ユニットの発光色成分比候補βｃである。よって、発光色成分比候補βｃが、第３サブフレームにおける第２ユニットの発光色成分比とされる。第２ユニットからの照射光によりエリア６２には既定値以上の光量が到達し、かつ、第１ユニットは発光色成分比候補βｃを有している。従って、発光色成分比候補βｃが、第３サブフレームにおける第１ユニットの発光色成分比とされる。以下、同様にして、発光色成分比候補γｃが第４サブフレームにおける第１ユニットおよび第２ユニットの発光色成分比とされる。
【００９０】
＜２．２．３  画素変調度演算処理＞
図２９は、本実施形態における画素変調度演算処理の手順を示すフローチャートである。本実施形態においては、ステップＳ３１０では、彩色サブフレームの中から、被選択画素に到達する光の色成分比のうち目標表示色に最も近い色成分比の光が到達するサブフレームの検出が行われる。ステップＳ３２０では、被検出サブフレームに被選択画素に目標表示色の彩色部分が現れるように光変調度が決定される。ステップＳ３３０では、彩色サブフレームのうちの被検出サブフレーム以外のサブフレームには到達光が遮断されるように被選択画素についての光変調度が決定される。ステップＳ３３５では、第１サブフレーム（無彩色サブフレーム）における被選択画素についての光変調度が決定される。このステップＳ３３５では、ステップＳ３２０およびステップＳ３３０で決定された光変調度に基づく表示が行われたと仮定した場合に不足する無彩色成分が補われるように、光変調度が決定される。
【００９１】
＜２．３  効果＞
本実施形態によれば、上記第１の実施形態と同様、より効果的に色割れの発生を抑制することのできる、フィールドシーケンシャル方式を用いた液晶表示装置が実現される。また、本実施形態によれば、１フレーム期間を構成する複数のサブフレームのうちの１つは無彩色表示を行うためのサブフレーム（無彩色サブフレーム）とされ、それ以外のサブフレーム（彩色サブフレーム）を用いて彩色表示が行われる。このため、各彩色サブフレームでは、３つの色成分の組み合わせによる色再現が行われることはなく、多くても２つの色成分の組み合わせによる色再現が行われる。以上より、目標表示色の再現に際して、色相角の調整（図３０で符号６８で示す矢印を参照）と彩度の調整（図３０で符号６９で示す矢印を参照）とを異なるサブフレームで行うことが可能となる。これにより、目標表示色の再現に必要な光変調度の演算処理が容易となる。
【００９２】
＜２．４  変形例＞
上記第２の実施形態における画素変調度演算処理においては、彩色サブフレームのうちの１つにおける被選択画素への到達光と無彩色サブフレームにおける被選択画素への到達光とを混ぜ合わせることによって目標表示色に近い色が被選択画素に現れるように、各サブフレームにおける被選択画素についての光変調度が決定されていた。しかしながら、本発明はこれに限定されない。被選択画素に関し、複数の彩色サブフレームにおける到達光と無彩色サブフレームにおける到達光とを混ぜ合わせることによって目標表示色に近い色を再現することが可能な場合もある。そこで、そのような複数の彩色サブフレームのそれぞれにおける被選択画素の光変調度を調整するようにしても良い。これにより、上記第１の実施形態の第１の変形例と同様、各画素形成部において、より目標表示色に近い色を再現することが可能となる。
【００９３】
なお、「目標表示色に最も近い色成分比の光が到達する彩色サブフレームにおける到達光と無彩色サブフレームにおける到達光との混ぜ合わせによって得られる色」と「目標表示色」との差が規定値よりも大きい場合のみ複数の彩色サブフレームにおける到達光と無彩色サブフレームにおける到達光との混ぜ合わせによる色再現を可能とするようにしても良い。
【００９４】
ところで、複数の彩色サブフレームにおける到達光と無彩色サブフレームにおける到達光との混ぜ合わせによる色再現を可能とした場合、色割れが発生するおそれが高くなることが懸念される。そこで、「複数の彩色サブフレームにおける到達光と無彩色サブフレームにおける到達光との混ぜ合わせによって得られる色」と「目標表示色」との差が規定値よりも小さい場合のみ複数の彩色サブフレームにおける到達光と無彩色サブフレームにおける到達光との混ぜ合わせによる色再現を可能とするようにしても良い。これにより、目標表示色を時分割で表示することに起因する色割れの発生が抑制される。
【００９５】
また、色成分比強度の算出に関し、上記第１の実施形態の第２の変形例と同様、或る発光色成分比候補に対応付けられている要求強度として複数個の画素の要求強度が存在するとき、それら複数個の画素の要求強度の和を当該発光色成分比候補についての色成分比強度としても良い。さらに、上記第１の実施形態の第３の変形例と同様、１フレーム期間は４サブフレーム以外の複数サブフレームで構成されていても良い。さらにまた、本実施形態では複数のサブフレームのうちの１つのサブフレームだけを無彩色サブフレームとしているが、複数のサブフレームのうちの２以上のサブフレームを無彩色サブフレームとしても良い。すなわち、１フレーム期間を混色表示が可能な複数のサブフレームで構成して、それら複数のサブフレームのうちの少なくとも１つのサブフレームに無彩色表示が行われるようにしても良い。
【００９６】
＜３．画素変調度演算部を備える画像表示装置＞
上述した画素変調度演算部４６を備える画像表示装置としては、以下に示すような様々な構成の画像表示装置が考えられる。
【００９７】
（付記１）
マトリクス状に配置された複数個の画素形成部を含む表示部と、色毎に点灯状態／消灯状態の制御が可能な複数色の光源からなる光源組を含み前記表示部に光を照射するためのバックライトとを有し、１フレーム期間を複数のサブフレーム期間に分割して点灯状態となる光源の色をサブフレーム期間毎に切り替えることによりカラー表示を行う画像表示装置であって、
前記光源組に含まれる複数色の光源についての各サブフレーム期間における発光量と１フレーム期間をかけて前記表示部に表示されるべき目標画像に含まれる目標表示色とに基づいて、各画素形成部についての各サブフレーム期間における光変調度を求める画素変調度演算部を備えることを特徴とする、画像表示装置。
【００９８】
（付記２）
前記光源組に含まれる複数色の光源が発光する際の色成分比を発光色成分比とし、任意の画素形成部を着目画素形成部としたとき、前記画素変調度演算部は、前記着目画素形成部における目標表示色の色成分比と前記光源組の発光色成分比とが最も近くなるサブフレーム期間に前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする、付記１に記載の画像表示装置。
【００９９】
（付記３）
前記画素変調度演算部は、１つのサブフレーム期間における前記光源組からの照射光によって前記着目画素形成部で再現される色よりも複数のサブフレーム期間における前記光源組からの照射光を混ぜ合わせることによって前記着目画素形成部で再現される色の方が前記着目画素形成部における目標表示色に近くなる場合、その複数のサブフレーム期間を用いて前記着目画素形成部で目標表示色が再現されるよう、かつ、それ以外のサブフレーム期間には前記着目画素形成部で前記光源組からの光が遮断されるよう、前記着目画素形成部についての各サブフレーム期間における光変調度を求めることを特徴とする、付記２に記載の画像表示装置。
【０１００】
（付記４）
前記画素変調度演算部は、前記光源組の発光色成分比と前記着目画素形成部における目標表示色の色成分比とが最も近くなるサブフレーム期間に前記着目画素形成部で再現される色と前記着目画素形成部における目標表示色との差が規定値よりも大きい場合のみ、複数のサブフレーム期間を用いて前記着目画素形成部で目標表示色が再現されるよう光変調度を求めることを特徴とする、付記３に記載の画像表示装置。
【０１０１】
（付記５）
前記画素変調度演算部は、複数のサブフレーム期間における前記光源組からの照射光を混ぜ合わせることによって前記着目画素形成部で再現される色と前記着目画素形成部における目標表示色との差が規定値よりも小さい場合のみ、複数のサブフレーム期間を用いて前記着目画素形成部で目標表示色が再現されるよう光変調度を求めることを特徴とする、付記３に記載の画像表示装置。
【０１０２】
（付記６）
各フレーム期間を構成する複数のサブフレーム期間のうちの少なくとも１つのサブフレーム期間には無彩色表示が行われるように、前記光源組に含まれる複数色の光源についての点灯状態／消灯状態および発光量が制御されることを特徴とする、付記１に記載の画像表示装置。
【０１０３】
（付記７）
前記光源組に含まれる複数色の光源は、赤色，緑色，および青色の３色の光源であって、
前記光源組に含まれる複数色の光源が発光する際の色成分比を発光色成分比とし、無彩色表示が行われるサブフレーム期間を無彩色サブフレーム期間とし、彩色表示が行われるサブフレーム期間を彩色サブフレーム期間とし、任意の画素形成部を着目画素形成部としたとき、前記画素変調度演算部は、前記着目画素形成部における目標表示色の色成分比と前記光源組の発光色成分比とが最も近くなる彩色サブフレーム期間に前記着目画素形成部で目標表示色の彩色部分が再現されるよう、かつ、それ以外の彩色サブフレーム期間には前記着目画素形成部で前記光源組からの光が遮断されるよう、かつ、無彩色サブフレーム期間に前記着目画素形成部で目標表示色の無彩色部分が再現されるよう、前記着目画素形成部についての各サブフレーム期間における光変調度を求めることを特徴とする、付記６に記載の画像表示装置。
【０１０４】
（付記８）
前記画素変調度演算部は、１つの彩色サブフレーム期間における前記光源組からの照射光と無彩色サブフレーム期間における前記光源組からの照射光とを混ぜ合わせることによって前記着目画素形成部で再現される色よりも複数の彩色サブフレーム期間における前記光源組からの照射光と無彩色サブフレーム期間における前記光源組からの照射光とを混ぜ合わせることによって前記着目画素形成部で再現される色の方が前記着目画素形成部における目標表示色に近くなる場合、その複数の彩色サブフレーム期間を用いて前記着目画素形成部で目標表示色の彩色部分が再現されるよう、かつ、それ以外の彩色サブフレーム期間には前記着目画素形成部で前記光源組からの光が遮断されるよう、かつ、無彩色サブフレーム期間に前記着目画素形成部で目標表示色の無彩色部分が再現されるよう、前記着目画素形成部についての各サブフレーム期間における光変調度を求めることを特徴とする、付記７に記載の画像表示装置。
【０１０５】
（付記９）
前記画素変調度演算部は、前記光源組の発光色成分比と前記着目画素形成部における目標表示色の色成分比とが最も近くなる彩色サブフレーム期間における前記光源組からの照射光と無彩色サブフレーム期間における前記光源組からの照射光とを混ぜ合わせることによって前記着目画素形成部で再現される色と前記着目画素形成部における目標表示色との差が規定値よりも大きい場合のみ、複数のサブフレーム期間を用いて前記着目画素形成部で目標表示色が再現されるよう光変調度を求めることを特徴とする、付記８に記載の画像表示装置。
【０１０６】
（付記１０）
前記画素変調度演算部は、複数の彩色サブフレーム期間における前記光源組からの照射光と無彩色サブフレーム期間における前記光源組からの照射光とを混ぜ合わせることによって前記画素形成部で再現される色と前記着目画素形成部における目標表示色との差が規定値よりも小さい場合のみ、複数の彩色サブフレーム期間を用いて前記着目画素形成部で目標表示色の彩色部分が再現されるよう光変調度を求めることを特徴とする、付記８に記載の画像表示装置。
【０１０７】
（付記１１）
各画素形成部は、画素電極と、前記複数個の画素形成部に共通的に設けられた電極であって前記画素電極と対向するように配置され所定電位が与えられる共通電極と、前記画素電極と前記共通電極とに挟持された液晶とを含み、
各サブフレーム期間において、前記画素変調度演算部によって求められた光変調度に基づく電位が各画素形成部に含まれる画素電極に与えられることによって前記液晶が駆動されることを特徴とする、付記１に記載の画像表示装置。
【０１０８】
＜４．その他＞
上記各実施形態においては、３色のＬＥＤがバックライトとして採用されている例を挙げて説明したが、本発明はこれに限定されない。例えば、４色以上のＬＥＤがバックライトとして採用されていても良い。また、例えば、ＬＥＤ以外の光源が採用されていても良い。
【０１０９】
また、上記各実施形態においては液晶表示装置を例に挙げて説明したが、本発明はこれに限定されない。複数色の光源からなる光源組を含む光照射部（バックライトなど）を有し、点灯状態となる光源の色をサブフレーム毎に切り替える方式を採用するものであれば、液晶表示装置以外の表示装置にも本発明を適用することができる。
【符号の説明】
【０１１０】
２０…ＬＥＤユニット
４２…色成分比抽出部
４４…発光色成分比選択部
４６…画素変調度演算部
１００…表示部
２００…バックライトユニット
３００…パネル駆動回路
４００…サブフレーム画像生成部
ＤＩＮ…入力画像信号
Ｄｃｏｌ…色成分比データ
ＤＬ…発光データ
ＤＶ…デジタル映像信号
Ｓ…光源制御信号
【図１】
2012157553.tif 000003
【図２】
2012157553.tif 000004
【図３】
2012157553.tif 000005
【図４】
2012157553.tif 000006
【図５】
2012157553.tif 000007
【図６】
2012157553.tif 000008
【図７】
2012157553.tif 000009
【図８】
2012157553.tif 000010
【図９】
2012157553.tif 000011
【図１０】
2012157553.tif 000012
【図１１】
2012157553.tif 000013
【図１２】
2012157553.tif 000014
【図１３】
2012157553.tif 000015
【図１４】
2012157553.tif 000016
【図１５】
2012157553.tif 000017
【図１６】
2012157553.tif 000018
【図１７】
2012157553.tif 000019
【図１８】
2012157553.tif 000020
【図１９】
2012157553.tif 000021
【図２０】
2012157553.tif 000022
【図２１】
2012157553.tif 000023
【図２２】
2012157553.tif 000024
【図２３】
2012157553.tif 000025
【図２４】
2012157553.tif 000026
【図２５】
2012157553.tif 000027
【図２６】
2012157553.tif 000028
【図２７】
2012157553.tif 000029
【図２８】
2012157553.tif 000030
【図２９】
2012157553.tif 000031
【図３０】
2012157553.tif 000032
【図３１】
2012157553.tif 000033
【手続補正書】
【提出日】平成25年11月5日(2013.11.5)
【手続補正１】
【補正対象書類名】明細書
【補正対象項目名】００８０
【補正方法】変更
【補正の内容】
【００８０】
＜２．第２の実施形態＞
＜２．１  概要＞
液晶表示装置の全体構成，バックライトユニット２００の構成，および表示部１００内の画素領域の構成については、上記第１の実施形態と同様であるので説明を省略する（図１〜図３を参照）。また、上記第１の実施形態と同様、１フレーム期間は複数のサブフレーム（本説明では４つのサブフレーム）で構成される。但し、後述するように、上記第１の実施形態とは異なり、複数のサブフレームのうちの１つ（本説明では第１サブフレーム）は無彩色表示を行うためのサブフレーム（以下、「無彩色サブフレーム」ともいう。）とされる。無彩色サブフレーム以外のサブフレームは、彩色表示を行うためのサブフレーム（以下、「彩色サブフレーム」ともいう。）とされる。すなわち、本実施形態においては、図２２に示すように、１フレーム期間は、無彩色サブフレームである第１サブフレームと彩色サブフレームである第２〜第４サブフレームとで構成される。
【国際調査報告】
2012157553.tif 000034
2012157553.tif 000035
2012157553.tif 000036
2012157553.tif 000037
2012157553.tif 000038
2012157553.tif 000039